(57)【要約】【課題】座面を有する渦流浴装置において、患者のサポートを適切に行うことができる技術を提供する。【解決手段】渦流浴装置１は、前後方向に延びる本体部を有する。本体部１０は、患者が患部を入れる浴槽１１と、浴槽１１の後方側に位置し、前記患者が臀部を載せる座面１３と、座面１３の前端１３ａより後方側に設けられて、前記患者が手で握るためのグリップ部１４と、を備える。【選択図】図２
2018068617.tif 000002
【特許請求の範囲】
【請求項１】
前後方向に延びる本体部を有する渦流浴装置であって、
前記本体部は、
患者が患部を入れる浴槽と、
前記浴槽の後方側に位置し、前記患者が臀部を載せる座面と、
前記座面の前端より後方側に設けられて、前記患者が手で握るためのグリップ部と、
を備える、渦流浴装置。
【請求項２】
前記グリップ部は、前記本体部の側面及び後面のうち少なくとも一方に設けられる、請求項１に記載の渦流浴装置。
【請求項３】
前記グリップ部は、少なくとも前記側面に設けられ、前記座面より前方にまで延びている、請求項２に記載の渦流浴装置。
【請求項４】
前記グリップ部は、凹部又は凸部を用いて構成されている、請求項１から３のいずれか１項に記載の渦流浴装置。
【請求項５】
前記グリップ部は、前記浴槽の外周を覆うケーシングに一体的に設けられている、請求項１から４のいずれか１項に記載の渦流浴装置。
【請求項６】
前記グリップ部は、前記浴槽の外周を覆うケーシングに別部材を取り付けて構成されている、請求項１から４のいずれか１項に記載の渦流浴装置。
【請求項７】
前記本体部の前方側に取り付けられて、前記浴槽より上側において後方に向けて延びる手すりを更に有する、請求項１から６のいずれか１項に記載の渦流浴装置。
【発明の詳細な説明】
【技術分野】
【０００１】
本発明は、渦流浴装置に関する。
【背景技術】
【０００２】
従来、上肢や下肢の水治療を行う機器として渦流浴装置が知られる（例えば特許文献１参照）。渦流浴装置は、下肢等の患部を入れる浴槽を備える。下肢の水治療が可能な渦流浴装置は、通常、患者が臀部を載せる座面と、浴槽を基準として座面と反対側に設けられる手すりと、を備える。患者は、手すりを持って身体を支えながら臀部を座面に載せることができる。患者は、座面に臀部を載せた後、脚部を持ち上げながら身体の向きを変更して、脚部を浴槽に入れて治療を行う。治療時において、患者は、手すりを持つことによって姿勢を保持することができる。
【先行技術文献】
【特許文献】
【０００３】
【特許文献１】特開２００３−３１０６９５号公報
【発明の概要】
【発明が解決しようとする課題】
【０００４】
患者が座面に乗る際の初期の段階において、手すりは身体を支えるための手段として有効である。しかしながら、渦流浴装置の座面は、通常の椅子の座面等に比べて高い位置にあるのが普通である。座面に乗る途中段階においては、座面から離れた位置にある手すりは、患者が座面に乗る作業の補助を十分に行えない可能性がある。また、座面に臀部を載せた後に、脚部を持ち上げながら身体の向きを変更する場合においても、座面から離れた位置にある手すりは、患者にとって使い勝手が悪い可能性がある。患者は、掴まる所が無く、不安定な状態になる可能性がある。
【０００５】
以上の点に鑑みて、本発明は、座面を有する渦流浴装置において、患者のサポートを適切に行うことができる技術を提供することを目的とする。
【課題を解決するための手段】
【０００６】
上記目的を達成するために本発明の渦流浴装置は、前後方向に延びる本体部を有する渦流浴装置であって、前記本体部は、患者が患部を入れる浴槽と、前記浴槽の後方側に位置し、前記患者が臀部を載せる座面と、前記座面の前端より後方側に設けられて、前記患者が手で握るためのグリップ部と、を備える構成（第１の構成）になっている。
【０００７】
本構成によれば、座面の周囲や座面にグリップ部を設けることができる。このために、本構成によれば、患者は、座面の近くにあるグリップ部を握りながら、座面に臀部を載せることができる。また、本構成によれば、座面に臀部を載せた患者は、座面の近くにあるグリップ部を握りながら、脚部を浴槽内に入れることができる。
【０００８】
上記第１の構成の渦流浴装置において、前記グリップ部は、前記本体部の側面及び後面のうち少なくとも一方に設けられる構成（第２の構成）であるのが好ましい。前記グリップ部は、前記側面の上部及び前記後面の上部のうち少なくともいずれか一方に設けられるのがより好ましい。本構成によれば、座面に臀部を載せる場合だけでなく、座面に臀部を載せた後に患者はグリップ部を握りやすい。すなわち、本構成によれば、例えば脚部を浴槽に入れる際や、脚部を浴槽に入れて治療している際に、患者はグリップ部を握って身体を安定させることができる。
【０００９】
上記第２の構成の渦流浴装置において、前記グリップ部は、少なくとも前記側面に設けられ、前記座面より前方にまで延びている構成（第３の構成）であってよい。本構成によれば、例えばリハビリテーション目的で渦流浴装置を用いて歩行運動を行う患者が、グリップ部を握って安全に歩行運動を行うことができる。
【００１０】
上記第１から第３のいずれかの構成の渦流浴装置において、前記グリップ部は、凹部又は凸部を用いて構成されている（第４の構成）のが好ましい。本構成によれば、例えば浴槽の外周を覆うケーシング等、本体部を構成する部品の一部にグリップ部を一体的に形成することができる。
【００１１】
上記第１から第４のいずれかの構成の渦流浴装置において、前記グリップ部は、前記浴槽の外周を覆うケーシングに一体的に設けられている構成（第５の構成）であってよい。本構成によれば、グリップ部を低コストで設けることができる。
【００１２】
上記第１から第４のいずれかの構成の渦流浴装置において、前記グリップ部は、前記浴槽の外周を覆うケーシングに別部材を取り付けて構成されてよい（第６の構成）。本構成によれば、グリップ部をケーシングとは別に成型することができる。このために、例えばグリップ部の形状を指が引っ掛かりやすい形状等に形成しやすい。
【００１３】
上記第１から第６のいずれかの構成の渦流浴装置は、前記本体部の前方側に取り付けられて、前記浴槽より上側において後方に向けて延びる手すりを更に有する構成（第７の構成）であるのが好ましい。本構成によれば、患者は、本体部の前方にある手すりと、本体部の後方にあるグリップ部との両方に掴まることができるために、渦流浴装置をより安全に使用することができる。
【発明の効果】
【００１４】
本発明によれば、座面を有する渦流浴装置であって、患者のサポートを適切に行うことができる渦流浴装置を提供することができる。
【図面の簡単な説明】
【００１５】
【図１】本発明の実施形態に係る渦流浴装置の構成を示す概略側面図
【図２】本発明の実施形態に係る渦流浴装置の構成を示す概略上面図
【図３】本発明の実施形態に係る渦流浴装置の構成を示す概略後面図
【図４】本発明の実施形態に係る渦流浴装置の第１変形例を説明するための概略図
【図５】本発明の実施形態に係る渦流浴装置の第２変形例を説明するための概略図
【図６Ａ】本発明の実施形態に係る渦流浴装置の第３変形例を説明するための概略図
【図６Ｂ】本発明の実施形態に係る渦流浴装置の第４変形例を説明するための概略図
【図７】本発明の実施形態に係る渦流浴装置の第５変形例を説明するための概略図
【図８】本発明の実施形態に係る渦流浴装置の第６変形例を説明するための概略図
【発明を実施するための形態】
【００１６】
以下、本発明の実施形態に係る渦流浴装置について、図面を参照しながら詳細に説明する。本明細書においては、渦流浴装置を使用する患者を基準に、上下、前後、及び、左右の表現を用いる。
【００１７】
図１は、本発明の実施形態に係る渦流浴装置１の構成を示す概略側面図である。詳細には、図１は渦流浴装置１を左側から見た図である。なお、図１には、理解を容易にするために、渦流浴装置１を使用する患者２も併せて示されている。図２は、本発明の実施形態に係る渦流浴装置１の構成を示す概略上面図である。
【００１８】
図１及び図２に示すように、渦流浴装置１は、前後方向に延びる本体部１０を有する。本体部１０は、患者２が患部を入れる浴槽１１を備える。図２に示すように、本体部１０は、上からの平面視において、略中央部に浴槽１１を備える。浴槽１１は、前後方向に延びる細長い形状である。
【００１９】
浴槽１１には、水（入浴剤等の添加物が含まれてもよい）が溜められる。浴槽１１に溜められた水は、不図示のヒーターによって適温に温めることができる。患者２は、浴槽１１に溜められた適温水に患部を浸す。なお、図１に示す例では、患者２は、片脚（右脚）を浴槽１１に入れている。
【００２０】
本体部１０は、浴槽１１の外周を覆うケーシング１２を備える。本実施形態では、ケーシング１２は樹脂製である。ケーシング１２は、前後方向に延びる。また、本体部１０は、浴槽１１の後方側に位置し、患者２が臀部を載せる座面１３を備える。座面１３は、ケーシング１２と同一部材であってもよいが、別部材であってもよい。座面１３がケーシング１２と同一部材である場合、座面１３はケーシング１２の一部である。座面１３は、クッション性を有する部材によって構成されてよい。
【００２１】
なお、座面１３が設けられる本体部１０後方側は、本体部前方側に比べて左右方向の幅が広い。このような構成を採用することによって、臀部を載せるスペースが大きくなり、患者２は安心して座面１３に臀部を載せることができる。また、浴槽１１の後方側に位置する座面１３は、上からの平面視において、浴槽１１の一部と重なってもよいし、重ならなくてもよい。本実施形態では、座面１３は、上からの平面視において、浴槽１１の後部と重なっている。
【００２２】
図２に示すように、浴槽１１の底面には、浴槽１１に溜められた水を外部に排水可能とする排水部１１０が設けられる。排水部１１０は、詳細には、排水口と、排水口を開閉する水栓とによって構成される。本実施形態では、水栓はポップアップ式の水栓である。ただし、水栓は、ポップアップ式の水栓に限らず、他の公知の水栓であってよい。
【００２３】
図２に示すように、浴槽１１の側壁には、複数のノズル１１１が設けられる。本実施形態では、前方の側壁に、上下方向に並ぶ２つのノズル１１１が設けられる。また、図２においては、座面１３に隠れて見えないが、後方の側壁に、上下方向に並ぶ３つのノズル１１１が設けられる。ノズル１１１の数、及び、ノズル１１１が設けられる位置は適宜変更されてよい。
【００２４】
ケーシング１２の内側には、不図示のポンプを含む循環装置が配置されている。循環装置によって、浴槽１１内の水は不図示の吸水口から浴槽１１外に吸い出され、吸い出された水はノズル１１１を介して浴槽１１内に吐出される。なお、場合によっては、ノズル１１１からエアーが吐出されるようにしてもよい。循環装置の作用によって、浴槽１１内に渦流を生じさせることができる。本実施形態では、循環装置が備える不図示の配管は、浴槽１１の周囲に配置されている。
【００２５】
図３は、本発明の実施形態に係る渦流浴装置１の構成を示す概略後面図である。図１〜図３に示すように、本体部１０は、患者２が手で握るためのグリップ部１４を備える。グリップ部１４は、図２に示すように、座面１３の前端１３ａよりも後方側に設けられる。本実施形態では、グリップ部１４は、本体部１０の側面に設けられる。より詳細には、グリップ部１４は、本体部１０の左右の側面上部に設けられる。グリップ部１４は、本体部側面の上下方向の中間位置よりも上側に設けられるのが好ましい。グリップ部１４は、本体部側面の上端近傍に設けられるのがより好ましい。
【００２６】
本実施形態では、グリップ部１４は、ケーシング１２に一体的に設けられている。ただし、これは例示である。例えば、座面１３がケーシング１２とは別部材によって構成される場合には、当該別部材の側面にグリップ部が設けられてもよい。本実施形態では、グリップ部１４は、ケーシング１２の側面の後端から、前方側に向けて延びる凹部を用いて構成されている。凹部は、ケーシング１２の側面を凹ませて構成される。グリップ部１４を構成する凹部の形状は、特に限定する趣旨ではないが、本実施形態では、後方からの平面視において略台形状になっている（図３参照）。凹部は、少なくとも開口部において、人の手指が十分入るサイズである。
【００２７】
なお、本実施形態では、グリップ部１４は、座面１３の前端１３ａより後方側にのみ設けられているが、これは例示にすぎない。グリップ部１４は、座面の前端１３ａより後方側に設けられていればよく、例えば、座面１３より前方にまで延びてもよい。例えば、患者２がリハビリテーション目的で、渦流浴装置１を用いて歩行運動を行う場合等に、座面１３より前方に延びるグリップ部１４は有効活用することができる。また、グリップ部１４を構成する凹部は、前後方向に連続しておらず、断続的に設けられてもよい。グリップ部１４は、本体部１０の後端まで延びていなくてもよい。
【００２８】
その他、渦流浴装置１は、本体部１０の前方側に取り付けられる手すり１５を有する。手すり１５は、浴槽１１より上側において後方に向けて延びる。本実施形態では、手すり１５は湾曲形状であり、一端部がケーシング１２の上部に回動可能に取り付けられる。手すり１５は、垂直面内で回動可能であり、他端部の向きを変更可能である。なお、手すり１５は、場合によっては、本体部１０に回動することなく固定されてもよい。
【００２９】
次に、以上のように構成される渦流浴装置１の使用例及び効果について説明する。渦流浴装置１を使用する患者２は、本体部１０に身体を近づけ、手すり１５を持つ。患者１５は、手すり１５で身体を支えながら、臀部を座面１３に近づける。この際、場合によっては、不図示の踏み台が使用されてよい。
【００３０】
臀部を座面１３に近づけた患者２は、手すり１５ではなく、座面１３の近傍（周囲）に存在するグリップ部１４を手で握ることができる。これにより、患者２は、無理な姿勢とならずに、安全に臀部を座面１３に載せることができる。臀部を座面１３に載せた患者２は、グリップ部１４を手で握りながら脚部を持ち上げて浴槽１１内に入れることができる。このために、患者２は、無理な姿勢とならずに、脚部を浴槽１１内に入れることができる。
【００３１】
浴槽１１内に入れられた患者２の脚部は、循環装置によって引き起こされる渦流によって刺激を受け治療される。脚部を浴槽１１に入れた患者２は、手すり１５又はグリップ部１４に掴まって身体を安定させることができる。なお、患者２は、上記とは逆の動作を行うことによって、座面１３から降りて治療を終了することができる。
【００３２】
以上に示した実施形態は、本発明の例示にすぎない。以上に示した実施形態の構成は、本発明の技術的思想を超えない範囲で適宜変更されてよい。また、本明細書に記載される複数の実施形態と変形例とは、可能な範囲で適宜組み合わせて実施されてよい。
【００３３】
グリップ部１４は、凹部又は凸部を用いて構成されてよい。図４は、本発明の実施形態に係る渦流浴装置１の第１変形例を説明するための概略図である。図４は、渦流浴装置１を後方から見た場合を想定した図である。本体部１０の側面上部に設けられるグリップ部１４は、図４に示すように、凹部に変えて凸部で構成されてもよい。凸部の形状は特に限定されない。凸部は、手で握りやすい形状及びサイズであればよい。図４に示す例では、凸部１４はケーシング１２に一体的に形成されている。
【００３４】
なお、グリップ部１４を構成する凸部は、図４に示すように、本体部１０の側面の上端から少し下方に設けられてもよいが、図５に示すように、本体部１０の側面の上端位置に設けられてもよい。図５は、本発明の実施形態に係る渦流浴装置１の第２変形例を説明するための概略図である。図５は、渦流浴装置１を後方から見た場合を想定した図である。図５に示すグリップ部１４を構成する凸部は、上端から少し下がった位置に段差１４ａを設けることによって構成されている。図５に示す例では、段差１４ａはケーシング１２に設けられている。
【００３５】
図６Ａは、本発明の実施形態に係る渦流浴装置１の第３変形例を説明するための概略図である。図６Ａは、本体部１０の側面部分の一部の構成を示す概略断面図である。図６Ａに示す構成では、凹部として構成されるグリップ部１４は、ケーシング１２に第１別部材１４ｂを取り付けて構成されている。
【００３６】
ケーシング１２の側面には、前後方向（図６Ａにおいて紙面と直交する方向）に延びる帯状の第１開口１２ａが設けられる。第１別部材１４ｂは、前後方向に細長く延びる。第１別部材１４ｂは、断面視において大きくは略Ｃ字状であり、上側及び下側の先端部に、上方又は下方に延びる突片１４ｂｂを有する。第１別部材１４ｂは、突片１４ｂｂを除く部分が第１開口１２ａに挿入される。突片１４ｂｂは、ケーシング１２の外面と当接し、第１別部材１４ｂをケーシング１２に固定するための固定部として利用される。第１別部材１４ｂは、ケーシング１２と異なる材料を用いて、ケーシング１２とは別に成型することができる。例えば、第１別部材１４ｂの色をケーシング１２と異ならせることによって、グリップ部１４を目立たせることができる。
【００３７】
図６Ｂは、本発明の実施形態に係る渦流浴装置１の第４変形例を説明するための概略図である。図６Ｂは、本体部１０の側面部分の一部の構成を示す概略断面図である。図６Ｂにおいては、図６Ａと同様に、凹部として構成されるグリップ部１４は、ケーシング１２に第２別部材１４ｃを取り付けて構成されている。
【００３８】
ケーシング１２の側面には、前後方向（図６Ｂにおいて紙面と直交する方向）に延びる帯状の第２開口１２ｂが設けられる。ケーシング１２は、第２開口１２ｂの上端及び下端において内部側に突出する突出部１２ｃを有する。第２別部１４ｃは、前後方向に細長く延びる。第２別部材１４ｃは、断面視においては略Ｃ字状である。第２別部材１４ｃは、上下の突出部１２ｃを挟むようにケーシング１２に固定される。第４変形例の構成でも、第３変形例の構成と同様に、第２別部材１４ｃの色をケーシング１２の色と異ならせて、グリップ部１４を目立たせることができる。
【００３９】
また、第４変形例の構成では、グリップ部１４を構成する凹部内に段差ＳＴが形成される。このために、グリップ部１４を握る患者２は、指を掛け易くなる。凹部をケーシング１２と一体的に設ける構成の場合、凹部内の指掛け用の段差は、金型の抜き方向を一方向にできないために製造が難しくなる。この点、第４変形例のようにグリップ部１４をケーシング１２とは別部材を用いて構成すると、製造の難しさを解消できる。患者２が指をかける段差は、第２別部材に凹凸を設けて形成してもよい。
【００４０】
図７は、本発明の実施形態に係る渦流浴装置１の第５変形例を説明するための概略図である。図７は、渦流浴装置１の後部を斜め上方から見た概略斜視図である。以上においては、グリップ部１４は、凹部及び凸部を用いて構成した。図７に示すように、グリップ部１４は、バー１４ｄを用いて構成してもよい。第５変形例では、本体部１０の側面と上面（座面１３）とが交わる角部に、バー１４ｄが配置されている。更に詳細には、本体部１０の角部の一部が切り落とされ、角部に配置されるバー１４ｄを手で握るための空間ＳＰが形成されている。なお、バー１４ｄは、例えば、本体部１０を構成するフレームであってよい。患者２が握るバーは、本体部１０の後面上端に沿って設けられてもよい。
【００４１】
図８は、本発明の実施形態に係る渦流浴装置１の第６変形例を説明するための概略図である。図８は、渦流浴装置１の概略後面図である。グリップ部１４は、本体部１０の側面及び後面のうちの少なくとも一方に設けられてよい。以上においては、グリップ部１４が、本体部１０の側面にのみ設けられる構成を示したが、図８に示すように、グリップ部１４は、本体部１０の後面に設けられてよい。グリップ部１４は、本体部１０の後面にのみに設けられてもよいが、本体部１０の後面及び側面に設けられてもよい。
【００４２】
本体部１０の後面に設けられるグリップ部１４は、凹部又は凸部を用いて構成されてよい。図８においては、グリップ部１４は、本体部１０の後面上部に設けられる。グリップ部１４は、本体部後面の上下方向の中間位置よりも上側に設けられるのが好ましい。グリップ部１４は、本体部後面の上端近傍に設けられるのがより好ましい。
【００４３】
なお、グリップ部１４は、場合によっては座面１３に設けられてもよい。座面１３にグリップ部１４が設けられる場合、これに加えて、本体部１０の側面や後面にもグリップ部が設けられてよい。座面１３上に設けるグリップ部１４は、凹部又は凸部を用いて構成されてよい。
【００４４】
以上においては、浴槽１１に片脚が入れられる渦流浴装置１について説明した。これは例示にすぎず、本発明は、浴槽に両脚が入れられる渦流浴装置にも適用可能である。本発明は、座面を有する渦流浴装置に広く適用可能であり、例えば、下肢用の渦流浴装置や下肢と上肢兼用の渦流浴装置に適用可能である。
【符号の説明】
【００４５】
１・・・渦流浴装置
２・・・患者
１０・・・本体部
１１・・・浴槽
１２・・・ケーシング
１３・・・座面
１３ａ・・・座面の前端
１４・・・グリップ部
１４ｂ・・・第１別部材
１４ｃ・・・第２別部材
１５・・・手すり
【図１】
2018068617.tif 000003
【図２】
2018068617.tif 000004
【図３】
2018068617.tif 000005
【図４】
2018068617.tif 000006
【図５】
2018068617.tif 000007
【図６Ａ】
2018068617.tif 000008
【図６Ｂ】
2018068617.tif 000009
【図７】
2018068617.tif 000010
【図８】
2018068617.tif 000011